(57)【要約】【課題】  多数の映像表示機器をデイジーチェーン接続した時の映像表示機器間のＥＤＩＤ伝送トラブルによる不具合発生の防止、もしくは、不具合からの復旧をユーザ側に負担をかけることなく行う。【解決手段】  複数の映像表示機器がデイジーチェーン接続され、該複数の映像表示機器を用いてＳｏｕｒｃｅ機器より供給される映像を表示するマルチ表示システムであって、映像表示機器は、電源投入後に、ホットプラグ検出用のピンの確認を行い、Ｌｏｗである場合にはＳｉｎｋ機器として動作し、Ｈｉｇｈである場合には第１のＥＤＩＤの伝送要求を行い、ＥＤＩＤの受信に成功した場合にはＲｅｐｅａｔｅｒ機器として動作し、ＥＤＩＤの受信に失敗した場合には、第一の所定の時間待機した後に電源供給用のピンによる電源供給を停止し、再開させた後に、第２のＥＤＩＤの伝送要求を行う制御部を有する。【選択図】  図７
2017009783.tif 000002
【特許請求の範囲】
【請求項１】
ＥＤＩＤを用いて機器間認証を行い、電源供給用のピンおよびホットプラグ検出用のピンを備えたコネクタが使用されるインターフェースにより複数の映像表示機器がデイジーチェーン接続され、該複数の映像表示機器を用いてＳｏｕｒｃｅ機器より供給される映像を表示するマルチ表示システムであって、
前記映像表示機器は、電源投入後に、前記ホットプラグ検出用のピンの確認を行い、Ｌｏｗである場合にはＳｉｎｋ機器として動作し、Ｈｉｇｈである場合には第１の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、第２の前記ＥＤＩＤの伝送要求を行う制御部を有するマルチ表示システム。
【請求項２】
請求項１記載のマルチ表示システムにおいて、
前記制御部は、前記第２のＥＤＩＤの伝送要求の後に、前記ＥＤＩＤの受信に成功した場合にはＲｅｐｅａｔｅｒ機器として動作し、前記ＥＤＩＤの受信に失敗した場合には、前記インターフェースに電源をオフする要求を出力し、前記電源供給用のピンによる電源供給を停止し、第二の所定の時間待機した後に、前記インターフェースに電源をオンする要求を出力し、第三の所定の時間待機し、前記電源供給用のピンによる電源供給を再開した後に、第３の前記ＥＤＩＤの伝送要求を行うマルチ表示システム。
【請求項３】
請求項２記載のマルチ表示システムにおいて、
前記制御部は、前記第３のＥＤＩＤの伝送要求の後に、前記ＥＤＩＤの受信に成功した場合にはＲｅｐｅａｔｅｒ機器として動作し、前記ＥＤＩＤの受信に失敗した場合には、Ｓｉｎｋ機器として動作するマルチ表示システム。
【請求項４】
ＥＤＩＤを用いて機器間認証を行い、電源供給用のピンおよびホットプラグ検出用のピンを備えたコネクタが使用されるインターフェースにより複数がデイジーチェーン接続される映像表示機器であって、
電源投入後に、前記ホットプラグ検出用のピンの確認を行い、Ｌｏｗである場合にはＳｉｎｋ機器として動作し、Ｈｉｇｈである場合には第１の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、第２の前記ＥＤＩＤの伝送要求を行う制御部を有する映像表示機器。
【請求項５】
請求項４記載の映像表示機器において、
前記制御部は、前記第２のＥＤＩＤの伝送要求の後に、前記ＥＤＩＤの受信に成功した場合にはＲｅｐｅａｔｅｒ機器として動作し、前記ＥＤＩＤの受信に失敗した場合には、前記インターフェースに電源をオフする要求を出力し、前記電源供給用のピンによる電源供給を停止し、第二の所定の時間待機した後に、前記インターフェースに電源をオンする要求を出力し、第三の所定の時間待機し、前記電源供給用のピンによる電源供給を再開した後に、第３の前記ＥＤＩＤの伝送要求を行う映像表示機器。
【請求項６】
請求項５記載の映像表示機器において、
前記制御部は、前記第３のＥＤＩＤの伝送要求の後に、前記ＥＤＩＤの受信に成功した場合にはＲｅｐｅａｔｅｒ機器として動作し、前記ＥＤＩＤの受信に失敗した場合には、Ｓｉｎｋ機器として動作することを特徴とする映像表示機器。
【請求項７】
ＥＤＩＤを用いて機器間認証を行い、電源供給用のピンおよびホットプラグ検出用のピンを備えたコネクタが使用されるインターフェースにより複数がデイジーチェーン接続される映像表示機器で行われる表示不具合発生防止方法であって、
映像表示機器の制御部により、電源投入後に、前記ホットプラグ検出用のピンの確認を行い、Ｌｏｗである場合にはＳｉｎｋ機器として動作し、Ｈｉｇｈである場合には第１の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、第２の前記ＥＤＩＤの伝送要求を行う表示不具合発生防止方法。
【請求項８】
請求項７記載の表示不具合発生防止方法において、
前記第２のＥＤＩＤの伝送要求の後に、前記ＥＤＩＤの受信に成功した場合にはＲｅｐｅａｔｅｒ機器として動作し、前記ＥＤＩＤの受信に失敗した場合には、前記インターフェースに電源をオフする要求を出力し、前記電源供給用のピンによる電源供給を停止し、第二の所定の時間待機した後に、前記インターフェースに電源をオンする要求を出力し、第三の所定の時間待機し、前記電源供給用のピンによる電源供給を再開した後に、第３の前記ＥＤＩＤの伝送要求を行う表示不具合発生防止方法。
【請求項９】
ＥＤＩＤを用いて機器間認証を行い、電源供給用のピンおよびホットプラグ検出用のピンを備えたコネクタが使用されるインターフェースにより複数がデイジーチェーン接続される映像表示機器に内蔵されたコンピュータが実行するプログラムであって、
前記映像表示機器の電源投入後に、前記ホットプラグ検出用のピンの確認を行い、Ｌｏｗである場合にはＳｉｎｋ機器として動作し、Ｈｉｇｈである場合には第１の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、第２の前記ＥＤＩＤの伝送要求を行うことを前記コンピュータに実行させるプログラム。
【請求項１０】
請求項９記載のプログラムにおいて、
前記第２のＥＤＩＤの伝送要求の後に、前記ＥＤＩＤの受信に成功した場合にはＲｅｐｅａｔｅｒ機器として動作し、前記ＥＤＩＤの受信に失敗した場合には、前記インターフェースに電源をオフする要求を出力し、前記電源供給用のピンによる電源供給を停止し、第二の所定の時間待機した後に、前記インターフェースに電源をオンする要求を出力し、第三の所定の時間待機し、前記電源供給用のピンによる電源供給を再開した後に、第３の前記ＥＤＩＤの伝送要求を行うこと前記コンピュータに実行させるプログラム。
【発明の詳細な説明】
【技術分野】
【０００１】
本発明は、マルチ表示システム、映像表示機器、映像表示機器における表示不具合発生防止方法とプログラムに関する。
【背景技術】
【０００２】
特許文献１に開示されるような、１つの映像を複数のプロジェクタやモニタなどの表示機器を用いて表示するマルチ表示システムが知られている。マルチ表示システムによる映像は、単体の表示機器で表示する映像よりも大画面、高解像度で表示することが可能であることから、マルチ表示システムはイベント会場、ショールーム等で広く利用されている。
【０００３】
図１はプロジェクタを用いたマルチ表示システムの一例を示す図である。本システムはＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ：ハイデフィニション  マルチメディア  インターフェース）ケーブル６によりデイジーチェーン接続されたプロジェクタ１号機〜４号機（以下、プロジェクタ１〜４）を備えており、映像を出力する機器（以下、Ｓｏｕｒｃｅ（ソース）機器）としてのＰＣ（Ｐｅｒｓｏｎａｌ  Ｃｏｍｐｕｔｅｒ：パーソナル  コンピュータ）５から出力された映像は、プロジェクタ１〜４を用いて１つの映像としてスクリーン７に表示されている。この時、各プロジェクタは映像を投写する映像表示機器（以下、Ｓｉｎｋ（シンク）機器）として動作するが、プロジェクタ１〜３は、受信した映像信号を後ろにつなげられた別のＳｉｎｋ機器へ送る中継機器（以下、Ｒｅｐｅａｔｅｒ（リピータ）機器）としても動作する。ここで、Ｓｏｕｒｃｅ機器５と接続されたプロジェクタ１をマスタプロジェクタと称し、Ｒｅｐｅａｔｅｒ機器として接続されたプロジェクタ２〜３をスレーブプロジェクタと称する。
Ｓｉｎｋ機器はＥＤＩＤ（Ｅｘｔｅｎｄｅｄ  Ｄｉｓｐｌａｙ  Ｉｄｅｎｔｉｆｉｃａｔｉｏｎ  Ｄａｔａ：エクステンデッド  ディスプレイ  アイデンティフィケーション  データ）と呼ばれる機器自身の情報や、対応している機能や、性能に関する情報が収録されたデータを保持しており、Ｓｏｕｒｃｅ機器と接続された際に、ＥＤＩＤをＳｏｕｒｃｅ機器に送信する。Ｓｏｕｒｃｅ機器はＳｉｎｋ機器から送られてきたＥＤＩＤを参照してＳｉｎｋ機器に合った映像信号を出力する。
【０００４】
図２は、Ｓｏｕｒｃｅ機器とＳｉｎｋ機器の接続時の処理を時系列で示す図である。
図２では例としてＨＤＭＩでの接続手順を記載している。図２に示される接続処理は、Ｓｏｕｒｃｅ機器が、Ｓｏｕｒｃｅ機器に接続されたＳｉｎｋ機器の映像受信部へ＋５Ｖを供給することから始まる。＋５Ｖ供給は、Ｓｏｕｒｃｅ機器とＳｉｎｋ機器を接続するＨＤＭＩケーブル６内の＋５Ｖ専用のラインを通じて行われ、Ｓｉｎｋ機器内の映像受信部へ＋５Ｖが供給される。Ｓｉｎｋ機器の映像受信部はこの＋５Ｖの電源により動作を開始する。
映像受信部が動作を開始するとＳｉｎｋ機器は、不揮発性メモリ（例えば、ＳＲＡＭ（Ｓｔａｔｉｃ  Ｒａｎｄｏｍ  Ａｃｃｅｓｓ  Ｍｅｍｏｒｙ：スタティック  ランダム  アクセス  メモリ））に記憶されている自身のＥＤＩＤを読み出す等の映像信号を受信するための準備を行い、準備が完了すると、ＨＤＭＩケーブル６内のＨＰＤ（Ｈｏｔ  Ｐｌｕｇ  Ｄｅｔｅｃｔ：ホット  プラグ  デテクト）ラインをＬ（＝Ｌｏｗ）からＨ（＝Ｈｉｇｈ）とする。Ｓｏｕｒｃｅ機器は、ＨＰＤがＨとなったことで映像信号を受信することが可能なＳｉｎｋ機器が接続されたことを判断する。Ｓｉｎｋ機器が接続されたと判断したＳｏｕｒｃｅ機器は、出力する映像信号を選択するため、ＨＤＭＩケーブル内のＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ：ディスプレイ  データ  チャネル／コマンド  インターフェース）ラインを通じてＳｉｎｋ機器にＥＤＩＤの送信を求める。Ｓｉｎｋ機器はこの指示に従ってＥＤＩＤを送信し、Ｓｏｕｒｃｅ機器は受信したＥＤＩＤに示されるＳｉｎｋ機器に合った映像を出力する。この時、ＥＤＩＤ等の映像表示機器間の制御信号の伝送には、ＤＤＣやＣＥＣ（Ｃｏｎｓｕｍｅｒ  Ｅｌｅｃｔｒｏｎｉｃｓ  Ｃｏｎｔｒｏｌ：コンシューマー  エレクトロニクス  コントロール）が用いられる。この、接続処理を行う際にＳｉｎｋ機器の電源が入っていない場合には、不揮発性メモリに記録されたＥＤＩＤを伝送することは出来ない。
【０００５】
Ｓｏｕｒｃｅ機器とＳｉｎｋ機器の間にＲｅｐｅａｔｅｒ機器を接続した場合、Ｒｅｐｅａｔｅｒ機器は自身に接続されたＳｉｎｋ機器に対応した映像がＳｏｕｒｃｅ機器から出力されるように、接続されたＳｉｎｋ機器のＥＤＩＤを読み出し、それを自身にコピーしてＳｏｕｒｃｅ機器に通知する。この時のＳｏｕｒｃｅ機器とＲｅｐｅａｔｅｒ機器、Ｒｅｐｅａｔｅｒ機器とＳｉｎｋ機器の接続手順もＳｏｕｒｃｅ機器とＳｉｎｋ機器の接続手順と同様である。これらの手順によりＲｅｐｅａｔｅｒ機器がＳｉｎｋ機器よりコピーしてきたＥＤＩＤをＳｏｕｒｃｅ機器へ伝送することで、Ｓｏｕｒｃｅ機器はＳｉｎｋ機器に合わせた映像を出力する。
ここで、プロジェクタやモニタのように映像表示を行うＳｉｎｋ機器でありながら、映像出力端子を持つＲｅｐｅａｔｅｒ機器を兼ねた複数の映像表示機器をデイジーチェーン接続した場合、接続の末端であれば単に映像を表示するＳｉｎｋ機器として動作する。また、出力端子に別のＳｉｎｋ機器が接続されている場合には、映像を表示するだけでなく、別のＳｉｎｋ機器に映像信号を出力するＲｅｐｅａｔｅｒ機器として動作する。この時、Ｓｉｎｋ機器／Ｒｅｐｅａｔｅｒ機器の判断はＨＰＤの信号により行われる。また、出力端子に別のＳｉｎｋ機器が接続されていてＲｅｐｅａｔｅｒ機器として動作すべき接続の場合であってもＥＤＩＤの伝送に失敗した場合にはＳｉｎｋ機器として動作する。
【０００６】
図３は、映像表示機器がＲｅｐｅａｔｅｒ、Ｓｉｎｋのいずれであるかを判別する動作を示すフローチャートである。
映像表示機器は電源が投入されるとＨＰＤの信号を確認する（ステップＳ１）。ＨＰＤの信号がＬであることが確認された場合にはＳｉｎｋ機器として動作する（ステップＳ２）。ステップＳ１においてＨＰＤの信号がＨであることが確認された場合には、出力端子からＥＤＩＤを伝送することを要求する旨の信号を出力する（ステップＳ３）。その後、ＥＤＩＤの受信に成功したかを確認し（ステップＳ４）、ＥＤＩＤの受信に成功したことが確認された場合にはＲｅｐｅａｔｅｒ機器として動作する（ステップＳ５）。ステップＳ４にてＥＤＩＤの受信に失敗したことが確認された場合には伝送要求が何回目であるかを確認する（ステップＳ６）。ＥＤＩＤの伝送要求が１回目または２回目である場合にはステップＳ３に戻り、ＥＤＩＤの伝送要求が３回目である場合にはＳｉｎｋ機器として動作する（ステップＳ７）。
【０００７】
図１に示した例に則して説明すると、マスタプロジェクタにＳｉｎｋ機器が接続されていなければ、ＨＰＤはＬとなり、マスタプロジェクタはＳｉｎｋ機器として動作する。同様に、図１のプロジェクタ４は後段にＳｉｎｋ機器が接続されていないため、ＨＰＤはＬとなり、自身が末尾のＳｉｎｋ機器であると判断することが可能である。プロジェクタ１〜３のように後段に別のプロジェクタが接続されていれば、後段のプロジェクタによりＨＰＤがＨとなり、接続された機器があると判断して、図３に示した手順に従いＥＤＩＤの伝送を要求する。この時にスレーブプロジェクタからのＥＤＩＤの伝送及びコピーに成功すればＲｅｐｅａｔｅｒ機器として動作する。ここで、ＥＤＩＤの読み込みに失敗した場合にはＮＡＣＴ（Ｎｅｇａｔｉｖｅ  Ａｃｋｎｏｗｌｅｄｇｅｍｅｎｔ：ネガティブ  アクノウレッジメント）を返してＥＤＩＤの読み込みのリトライを行う。リトライを含めたＥＤＩＤの伝送要求の回数は機器によっても異なるが、おおよそどの機器でも３回行われ、それでもＥＤＩＤの読み込みに失敗した場合にはＳｉｎｋ機器として動作する。通常であれば、３回のＥＤＩＤの伝送要求中にＥＤＩＤの伝送は成功し、映像が表示される。
【先行技術文献】
【特許文献】
【０００８】
【特許文献１】特開２００３−３４５３２７号公報
【発明の概要】
【発明が解決しようとする課題】
【０００９】
Ｓｏｕｒｃｅ機器に、Ｒｅｐｅａｔｅｒ機器／Ｓｉｎｋ機器を兼ねた複数の映像表示機器をデイジーチェーン接続した際に、図４に示すように、接続された映像表示機器の一部（図４においてはプロジェクタ１）のみにより映像が表示され、他の映像表示機器による映像表示が行われないという不具合の発生が報告されている。このような映像表示の不具合の原因として表１に示す例が挙げられる。
【００１０】
【表１】
2017009783.tif 000003
【００１１】
表１に示した原因の中で、ＤＤＣラインが切れている場合のように、信号ラインが断線している場合には、ＨＤＭＩケーブルを交換することで映像表示の不具合を解消することが出来る。また、ＥＤＩＤデータが一部欠けている場合やチェックサムエラー、コピーエラーが発生した場合にはＨＤＭＩの規格によりリトライが数回行われる。もし、リトライに失敗し続けるようであれば、その原因としては、例えば、伝送信号と同等の周波数の外来ノイズの影響のような伝送路に問題があることや、装置から映像信号が出力されていないなどの装置に問題があることが考えられる。これらの不具合は、Ｓｏｕｒｃｅ機器とＳｉｎｋ機器を１対１で直結した場合でも頻繁に起こる一般的な不具合である。これらの不具合についての主な対策としては、映像表示機器間のケーブル交換やケーブル長を短くする、装置を交換する、など接続状態や装置自体を見直す必要があり、これらの対策は、ユーザ自身が実行することが必要となる。
【００１２】
また、別の原因としてＳｉｎｋ機器がＢＯＯＴ（ブート）中のためにＥＤＩＤの伝送に失敗するという例を挙げた。本来であればＳｉｎｋ機器はＥＤＩＤの伝送準備ができてからＨＰＤをＨとするために、このような不具合は起こらないはずである。しかしながら、デイジーチェーン接続時には伝送準備が未完了状態でＨＰＤがＨとなってしまい、結果的にＥＤＩＤの読み込みに失敗によって映像表示不具合が発生する事がしばしばある。
例えば、デイジーチェーン接続されたプロジェクタの電源を一斉に落とし、直後に一斉に電源を再投入した場合、図４に示すように接続されたプロジェクタのうち、伝送に不具合が発生したプロジェクタ２以後に接続されたプロジェクタ（図４の場合にはプロジェクタ２〜４）からは映像が表示されず、プロジェクタ１による映像のみが表示されるという不具合が発生する事が報告されている。これは、プロジェクタ１、２間のＨＰＤがＬへ立ち下がる途中で電源が投入されたために、一時的に電圧が高まってしまい、Ｈと誤認されてしまったためにプロジェクタ１がＥＤＩＤの読み込みを開始してしまったために起きた不具合である。
【００１３】
上記のような不具合は、プロジェクタ２がＢＯＯＴ中のために、ＳＲＡＭ等の不揮発性メモリに格納されたＥＤＩＤが読み込めておらず、プロジェクタ１への伝送が行えないことにより発生する。プロジェクタ１は接続されたプロジェクタ２のＥＤＩＤをコピーできないために、図３に示したフローチャートに示されるように、Ｒｅｐｅａｔｅｒ機器ではなく、プロジェクタ１のみで映像出力をするＳｉｎｋ機器として動作する。そのためにプロジェクタ２以降に接続されたプロジェクタが映像を表示することはなく、図１に示したプロジェクタ１〜４により表示されていた映像が、Ｓｉｎｋ機器として動作するプロジェクタ１により１／４のエリアに表示されることとなる。また、ここではプロジェクタ１、２間を例に示したが、プロジェクタ１、２と同様にＲｅｐｅａｔｅｒ／Ｓｉｎｋ機器とＳｉｎｋ機器の関係にあるプロジェクタ２、３間、プロジェクタ３、４間でも同様の現象が起こる可能性がある。その場合はそれぞれ、プロジェクタ２または３までのプロジェクタによる映像が表示されることになり、以後のプロジェクタによる映像は表示されない。このほか、複数の映像表示機器をデイジーチェーン接続したことで、起動のタイミングが合わずに、規定時間内にＥＤＩＤの読み込みができずに失敗となるために映像が表示されない場合もある。
【００１４】
上記のように、プロジェクタ２がＢＯＯＴのためにＥＤＩＤの読み込みに失敗した場合、プロジェクタ２のＢＯＯＴ完了後にプロジェクタ１がプロジェクタ２のＥＤＩＤ読み込み処理を行い、成功すればスレーブプロジェクタへの映像出力が可能となる。しかしながら、ＥＤＩＤやその要求コマンドを伝送するＤＤＣ／ＣＩラインを使用した通信では、Ｓｉｎｋ機器から上位のＲｅｐｅａｔｅｒ機器やＳｏｕｔｈ機器への通信を開始することが出来ない。そのため、上位の機器から下位の機器へ再読み込みのためにＥＤＩＤの伝送要求を送る必要がある。
一方で、プロジェクタ１のようにＲｅｐｅａｔｅｒ機器として動作させたい映像表示機器がＳｉｎｋ機器として動作している場合には、再読み込みを自動で開始する事が理想であるが、その場合にはＳｉｎｋ機器として動作しているプロジェクタ１はＥＤＩＤを読み込む動作を行うために、一時的にＲｅｐｅａｔｅｒ機器となってしまう。この時、プロジェクタ１はＲｅｐｅａｔｅｒでありながら、接続されたＳｉｎｋ側のＥＤＩＤのコピーが完了していないために、ＥＤＩＤが無い状態となってしまい、その間はプロジェクタ１による映像が表示されなくなってしまう。このような映像の途切れが発生しないようにＥＤＩＤの再読み込みを繰り返すシーケンスは通常では組み込まれることは無い。これは、映像規格の認証でも再読み込みを実施することは定められておらず、規格の認証試験でもケーブルを抜き差しすることで解決するようであれば問題は無いという事になっている。
【００１５】
そのため、図４に示した状態から正常に映像を表示させるためには、ユーザが両機器間のケーブルを抜くことで接続を物理的に切断し、繋ぎ直すことで接続手順を再度行う必要がある。繋ぎ直しにより、図２に示した＋５Ｖ供給からの接続手順を再実行させることで、ＥＤＩＤを再読み込みさせるのである。
また、スタンバイ状態であることや電源が入っていないためにＳｉｎｋ側機器での映像表示が行われない場合には、Ｓｉｎｋ機器の電源を投入後に起動処理の完了を待ってＥＤＩＤの再読み込みを行う事で映像を表示させることが可能となる。
【００１６】
不具合の原因は表１に示した原因以外にもいくつかあるが、図４に示したような特定の映像表示機器以後の映像表示機器が映像を表示しないような、ケーブルの断線や装置に由来する原因でない場合には、ＨＤＭＩケーブルを繋ぎ直すことで解決することが多く報告されている。その場合、プロジェクタ２は動作しているという事である。そのため、このような映像不具合が発生した場合、上述したケーブルの繋ぎなおし動作によって殆ど解決するが、この場合、ユーザ側での操作が必要となる。天井に設置されているプロジェクタなどではケーブルの繋ぎなおしに手間が掛るだけではなく、操作自体が困難であるという問題があった。
本発明は、多数の映像表示機器をデイジーチェーン接続した時の映像表示機器間のＥＤＩＤ伝送トラブルによる不具合発生の防止、もしくは、不具合からの復旧をユーザ側に負担をかけることなく行うものである。
【課題を解決するための手段】
【００１７】
本発明のマルチ表示システムは、ＥＤＩＤを用いて機器間認証を行い、電源供給用のピンおよびホットプラグ検出用のピンを備えたコネクタが使用されるインターフェースにより複数の映像表示機器がデイジーチェーン接続され、該複数の映像表示機器を用いてＳｏｕｒｃｅ機器より供給される映像を表示するマルチ表示システムであって、
前記映像表示機器は、電源投入後に、前記ホットプラグ検出用のピンの確認を行い、Ｌｏｗである場合にはＳｉｎｋ機器として動作し、Ｈｉｇｈである場合には一回目の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、二回目の前記ＥＤＩＤの伝送要求を行う制御部を有する。
【００１８】
本発明の映像表示機器は、ＥＤＩＤを用いて機器間認証を行い、電源供給用のピンおよびホットプラグ検出用のピンを備えたコネクタが使用されるインターフェースにより複数がデイジーチェーン接続される映像表示機器であって、
電源投入後に、前記ホットプラグ検出用のピンの確認を行い、Ｌｏｗである場合にはＳｉｎｋ機器として動作し、Ｈｉｇｈである場合には一回目の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、二回目の前記ＥＤＩＤの伝送要求を行う制御部を有する。
【００１９】
本発明の表示不具合発生防止方法は、ＥＤＩＤを用いて機器間認証を行い、電源供給用のピンおよびホットプラグ検出用のピンを備えたコネクタが使用されるインターフェースにより複数がデイジーチェーン接続される映像表示機器で行われる表示不具合発生防止方法であって、
映像表示機器の制御部により、電源投入後に、前記ホットプラグ検出用のピンの確認を行い、Ｌｏｗである場合にはＳｉｎｋ機器として動作し、Ｈｉｇｈである場合には一回目の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、二回目の前記ＥＤＩＤの伝送要求を行う。
【００２０】
本発明のプログラムは、ＥＤＩＤを用いて機器間認証を行い、電源供給用のピンおよびホットプラグ検出用のピンを備えたコネクタが使用されるインターフェースにより複数がデイジーチェーン接続される映像表示機器に内蔵されたコンピュータが実行するプログラムであって、
前記映像表示機器の電源投入後に、前記ホットプラグ検出用のピンの確認を行い、Ｌｏｗである場合にはＳｉｎｋ機器として動作し、Ｈｉｇｈである場合には一回目の前記ＥＤＩＤの伝送要求を行い、前記ＥＤＩＤの受信に成功した場合にはＲｅｐｅａｔｅｒ機器として動作し、前記ＥＤＩＤの受信に失敗した場合には、第一の所定の時間待機した後に前記電源供給用のピンによる電源供給を停止し、再開させた後に、二回目の前記ＥＤＩＤの伝送要求を行うことを前記コンピュータに実行させる。
【発明の効果】
【００２１】
本発明によれば、多数の映像表示機器をデイジーチェーン接続した時の映像表示機器間のＥＤＩＤ伝送トラブルによる不具合発生の防止、もしくは、不具合からの復旧をユーザ側に負担をかけることなく行うことが可能となる。
【図面の簡単な説明】
【００２２】
【図１】プロジェクタを用いたマルチ表示システムの一例を示す図である。
【図２】Ｓｏｕｒｃｅ機器とＳｉｎｋ機器の接続時の処理を時系列で示す図である。
【図３】映像表示機器がＲｅｐｅａｔｅｒ、Ｓｉｎｋのいずれであるかを判別する動作を示すフローチャートである。
【図４】不具合が発生したマルチ表示システムを示す図である。
【図５】本発明の本実施形態で使用しているプロジェクタ１の内部構成を示すブロック図である。
【図６】複数のプロジェクタの入出力部の接続を示す図である。
【図７】本発明の実施形態にて、映像表示に不具合が発生することを防止するために制御部によって行われるシーケンス制御を示すフローチャートである。
【発明を実施するための形態】
【００２３】
本発明ではマルチ表示を目的としたシステムにおいて、スレーブプロジェクタがＢＯＯＴ中である等の理由によりマスタプロジェクタがスレーブプロジェクタのＥＤＩＤのコピーに失敗した場合、スレーブプロジェクタがＯＦＦである、もしくは、スタンバイ状態であるなど起動に失敗した場合、の２つの場合についての対策を組み込んだシーケンス制御を行うことによって、ユーザ側でのケーブルの繋ぎ直しを必要とすることなく、マルチ表示を正常に行うものである。
スレーブプロジェクタがＢＯＯＴ中のためにＥＤＩＤの伝送に失敗した場合には、ＢＯＯＴ完了後にはＥＤＩＤの伝送が可能となるため、ＢＯＯＴが完了するまで一定時間待機し、その後、ＥＤＩＤの伝送を再度要求する。この待機時間は、映像表示機器によって異なり、装置のＢＯＯＴ時間に合わせて設定する必要がある。
スレーブプロジェクタがスタンバイ状態のためにＥＤＩＤの伝送が不可能であった場合には、マスタプロジェクタ側からスレーブプロジェクタを強制的に起動させ、ＢＯＯＴが完了するまで一定時間待機することでＥＤＩＤの伝送が可能となる。
【００２４】
前項の解決すべき課題で記載したように、Ｓｉｎｋ機器として動作している場合、通常動作としてマスタプロジェクタはＥＤＩＤの再読み込みは行わない。ＥＤＩＤを伝送させるにはＨＤＭＩケーブルを抜き差しして繋ぎ直す必要があり、ＨＤＭＩケーブルを抜くことで物理的に切断し、再接続することにより、図２に示した＋５Ｖ供給から開始される接続処理を再実行するのである。しかしながら、このケーブルを繋ぎ直す動作はケーブルを繋いだままの状態で＋５Ｖラインを停止、再開（以下、ＯＦＦ／ＯＮ）することでも実行できる。＋５Ｖラインを通しての給電を停止し、再度供給することで、図２に示したスレーブプロジェクタがＨＰＤをＨにするという接続処理が実行されるのである。
そこで、Ｒｅｐｅａｔｅｒ機器を兼ねた映像表示機器（Ｓｉｎｋ機器）においてＨＰＤがＨでありながら、Ｒｅｐｅａｔｅｒ機器として動作せずにＳｉｎｋ機器のみとして動作してしまった場合、一定時間待機後に＋５ＶラインをＯＦＦ／ＯＮすることでＢＯＯＴ中のためにＥＤＩＤの伝送に失敗した場合に対応し、それでもＥＤＩＤの伝送に失敗した場合にはＤＤＣやＣＥＣを用いて起動コマンドを送信し、ＢＯＯＴ完了後に再度＋５ＶラインをＯＦＦ／ＯＮすることで、映像表示不具合を防止するものである。
【００２５】
次に、本発明の実施形態について図面を参照して説明する。
（第１の実施形態）
本実施形態は、デイジーチェーン接続時の映像表示の不具合の発生をシーケンス制御により防止するものである。このため、装置構成は図１および図４に示した構成と同じであり、以下では図１を参照して本発明の実施形態について説明する。
４台のプロジェクタ１〜４がＳｏｕｒｃｅ機器であるＰＣ５とデイジーチェーン接続されている。本実施形態ではプロジェクタ１〜４はランプ光源を使用しているものとして説明するが、本発明における映像表示機器はランプ光源を使用するプロジェクタに限定されるものではない。また、ＰＣ５とマスタプロジェクタ間、各プロジェクタ間の接続にはＨＤＭＩケーブル６が使用されている。なお、本実施形態ではＨＤＭＩを使用しているが、ＤＶＩ（Ｄｉｇｉｔａｌ  Ｖｉｓｕａｌ  Ｉｎｔｅｒｆａｃｅ：ディジタル  ビジュアル  インターフェース）、ＤＰ（ＤｉｓｐｌａｙＰｏｒｔ：ディスプレイポート）などのようにＨＤＭＩと異なるインターフェースを使用する場合であっても、本実施形態と同様のシーケンス制御を導入する事が可能である。
本実施形態におけるシーケンス制御では、後段に接続されたスレーブプロジェクタがＢＯＯＴ中のためにＥＤＩＤが伝送できず、ＨＰＤがＨでありながらＳｉｎｋ機器として動作してしまった場合、スレーブプロジェクタがＯＦＦもしくはスタンバイ状態の場合、などで映像が表示されないときに、ＥＤＩＤ再読み込みのために＋５ＶラインをＯＦＦ／ＯＮ、もしくは電源をＯＮするコマンドを送ることで解決するものである。
【００２６】
図５は本実施形態で使用しているプロジェクタ１の内部構成を示すブロック図である。図５にはプロジェクタ１として示しているが、マルチ表示システムを構成する他のプロジェクタ２〜４もプロジェクタ１と同じ構成の物が用いられる。
プロジェクタ１は、入力端子（ＨＤＭＩ  ＩＮ（イン））１１、出力端子（ＨＤＭＩ  ＯＵＴ（アウト））１２、映像送受信部２０、映像信号処理部３０、駆動部４０、表示部５０、制御部６０、記憶部７０を有する。映像送受信部２０は受信部（ＨＤＭＩ  Ｒｅｃｅｉｖｅｒ（レシーバ））２１と送信部（ＨＤＭＩ  Ｔｒａｎｓｍｉｔｔｅｒ（トランスミッタ））２２から構成されている。各部は制御部６０とバス（Ｉ２Ｃ、ＢＵＳ）６１により接続されている。制御部６０は記憶部７０に格納されているプログラムに応じて各部の動作を制御する。制御部６０はＣＰＵ（Ｃｅｎｔｒａｌ  Ｐｒｏｃｅｓｓｉｎｇ  Ｕｎｉｔ：セントラル  プロセッシング  ユニット）により構成されるもので、制御部６０は記憶部７０とともにコンピュータを構成しており、プロジェクタ１はコンピュータを内蔵しているともいえる。
【００２７】
入力端子１１はＳｏｕｒｃｅ機器であるＰＣ５とＨＤＭＩケーブル６を介して接続され、映像信号および制御信号を受信する。入力端子１１に入力された映像信号は映像送受信部２０の受信部２１で受信され、受信部２１にてシリアル―パラレル変換、信号レベル変換や制御信号に含まれるタイミング信号のデコードなどが行われる。
受信部２１で変換等の処理が施された映像信号は映像信号処理部３０へ送られる。映像信号処理部３０では、映像送受信部２０から送られた映像信号に、解像度変換、γ補正や台形歪み補正などの信号処理を行い、駆動部４０へ送る。駆動部４０は、映像信号処理部３０から送られた映像信号に応じて表示部５０を構成する表示素子や光源（ともに不図示）などを駆動して画像光を作成し、表示部５０の投写レンズ５１より画像光を射出させる。換言すると、表示部５０は、入力された映像信号に対応する映像を形成する（表示する）。
【００２８】
プロジェクタ１〜３には、出力端子１２にＲｅｐｅａｔｅｒ／Ｓｉｎｋ機器として下位のプロジェクタが接続されているので、入力された信号は送信部２２を介して出力端子１２、ＨＤＭＩケーブル６を介して下位のプロジェクタに送られる。入力端子１１と出力端子１２にはＨＤＭＩが使用されており、映像信号を伝送する映像ラインのほかに、接続機器に＋５Ｖを供給する電源ライン、接続を通知するＨＰＤライン、機器間で制御信号、情報等をやり取りするＤＤＣ／ＣＩライン等から成る。図６は、各ラインを含めた入出力部の接続を示す図である。
図６での各機器間の接続は既に述べたようにＨＤＭＩケーブル６で行われているが、図５と同様に映像ラインの表記は省略している。正常な映像表示のためには、プロジェクタ１〜３はＲｅｐｅａｔｅｒ機器として、下位に接続されたＲｅｐｅａｔｅｒ／Ｓｉｎｋ機器からのＥＤＩＤのコピーが必要である。各機器間でのＥＤＩＤの伝送手順は既に背景技術で述べたように、＋５Ｖの供給から開始され、下位に接続されたプロジェクタはＨＰＤをＨとすることで接続された機器があることを通知し、ＤＤＣ／ＣＩラインを通じてＥＤＩＤの伝送要求と伝送が行われる。４台のプロジェクタで正常に映像を表示するには、上位側のＲｅｐｅａｔｅｒ機器がＳｉｎｋ機器のＥＤＩＤをコピーする必要があるため、下位側の装置から電源投入をすることでプロジェクタ４のＥＤＩＤをプロジェクタ３がコピーし、それをプロジェクタ２、プロジェクタ１が順次コピーしてＳｏｕｒｃｅ機器へ通知する必要がある。図４に示した状態では、プロジェクタ２を含め、プロジェクタ２以降のプロジェクタによる映像が表示されていない。これは、プロジェクタ１が下位のプロジェクタのＥＤＩＤのコピーに失敗している事を示している。
【００２９】
図７は、本実施形態にて、映像表示に不具合が発生することを防止するために制御部６０によって行われるシーケンス制御を示すフローチャートである。
図３に示したフローチャートが、映像表示機器が、Ｓｉｎｋ機器、Ｒｅｐｅａｔｅｒ機器のいずれであるかを判断する通常のシーケンス制御を示すものであるのに対し、図７に示すフローチャートでは、スレーブプロジェクタがＢＯＯＴ中、もしくはスタンバイ中である、等の理由によってＥＤＩＤの読み込みエラーが発生する不具合への対策シーケンス制御が加えられている。
【００３０】
プロジェクタ１に電源が投入されると、該プロジェクタ１はＨＰＤの信号を確認する（ステップＳ７０１）。ＨＰＤの信号がＬであることが確認された場合にはＳｉｎｋ機器として動作する（ステップＳ７０２）。ステップＳ７０１においてＨＰＤの信号がＨであることが確認された場合には、第１のＥＤＩＤ伝送要求として、出力端子１２からＥＤＩＤを伝送することを要求する旨の信号を出力する（ステップＳ７０３）。その後、ＥＤＩＤの受信に成功したかを確認し（ステップＳ７０４）、ＥＤＩＤの受信に成功したことが確認された場合にはＲｅｐｅａｔｅｒ機器として動作する（ステップＳ７０５）。ステップＳ７０４にてＥＤＩＤの受信に失敗したことが確認された場合には伝送要求が何回目であるかを確認する（ステップＳ７０６）。ＥＤＩＤの伝送要求が１回目または２回目である場合にはステップＳ７０３に戻り、ＥＤＩＤの伝送要求が３回目である場合にはＳｉｎｋ機器として動作する（ステップＳ７０７）。ここまでの動作は、図３に示したフローチャートと同様である。
【００３１】
ステップＳ７０７においてＳｉｎｋ機器として動作した場合には、一定時間、本実施形態においては３０秒待機し（ステップＳ７０８）、＋５ＶラインをＯＦＦ／ＯＮする（ステップＳ７０９）。これは、通常のシーケンス制御で、ＨＰＤがＨでありながら、Ｓｉｎｋ機器として動作してしまった場合や、スレーブプロジェクタがＢＯＯＴ中のためにＥＤＩＤが伝送できずにこのようにＳｉｎｋ機器として動作してまった場合を想定した対処として行われるもので、一定時間待機した後に再読み込みが行われる。
ステップＳ７０８における一定時間は、機器に合わせて設定することが出来る。本実施形態のプロジェクタではランプ光源を使用しているので、ランプが点灯して起動が完了するまでの時間をおおよそ３０秒と想定し、待機時間は３０秒としている。必ずしもこの時間にこだわる必要は無く、例えば、起動時間が短いレーザー光源を使用するプロジェクタの場合には５秒程度に設定することも可能であり、機器に合わせた起動時間を設定することが可能である。機器の起動が完了するまでに必要とする時間を待機することでＢＯＯＴの完了を待つ。
【００３２】
ステップＳ７０９の後、第２のＥＤＩＤ伝送要求として、出力端子１２からＥＤＩＤを伝送することを要求する旨の信号を出力する（ステップＳ７１０）。その後、ＥＤＩＤの受信に成功したかを確認し（ステップＳ７１１）、ＥＤＩＤの受信に成功したことが確認された場合にはＲｅｐｅａｔｅｒ機器として動作する（ステップＳ７１２）。この結果、スレーブプロジェクタで映像の表示が可能となる。ステップＳ７１１にてＥＤＩＤの受信に失敗したことが確認された場合には伝送要求が何回目であるかを確認する（ステップＳ７１３）。ＥＤＩＤの伝送要求が１回目または２回目である場合にはステップＳ７１０に戻り、ＥＤＩＤの伝送要求が３回目である場合には出力端子１２に電源をＯＦＦすることを要求する旨の信号を出力する。具体的には、プロジェクタ２に電源をＯＦＦすることを要求する信号が送られる（ステップＳ７１４）。次に、＋５ＶラインをＯＦＦし（ステップＳ７１５）、一定時間、本実施形態においては２０秒間待機する（ステップＳ７１６）。その後、出力端子１２に電源をＯＮすることを要求する旨の信号を出力する。具体的には、プロジェクタ２に電源をＯＮすることを要求する信号が送られる（ステップＳ７１７）。次に、一定時間、本実施形態においては３０秒間待機し（ステップＳ７１８）、＋５ＶラインをＯＮする（ステップＳ７１９）。
【００３３】
上記のステップＳ７１４〜ステップＳ７１９における動作について詳述する。
ステップＳ７１３にて、ＥＤＩＤの伝送に再び失敗したことが確認された場合、その原因としてスレーブプロジェクタが起動に失敗して電源ＯＦＦやスタンバイ状態である事も考えられる。映像表示のためにマスタプロジェクタはスレーブプロジェクタ自体を起動させる必要があり、マスタプロジェクタはスレーブプロジェクタに再起動のためにいくつかコマンドを送る。このコマンドは、例えばＨＤＭＩケーブルで接続されている場合はＤＤＣやＣＥＣが用いられる。再起動を実行する場合、この時点ではスレーブプロジェクタの電源状態が不明のため、先ずは電源が入っている可能性も考慮し、電源をＯＦＦするコマンドを送り（ステップＳ７１４）、スレーブプロジェクタの電源がＯＦＦとなるまで一定時間待機する（ステップＳ７１６）。本実施例ではランプ光源のプロジェクタを使用しているために、電源ＯＦＦ前にランプの冷却が行われる。ここでは、１例としてランプの冷却時間を１０秒であるとして、電源ＯＦＦが完了するまでの待機時間を２０秒としている。この待機時間も２０秒に限らず、機器の電源ＯＦＦに必要な時間に合わせて設定が可能である。例えばレーザー光源のプロジェクタであれば即座に電源をＯＦＦすることが可能であるため、１秒程度に設定することも出来る。
【００３４】
また、ＢＯＯＴ中の読み込みエラーを防ぐため、スレーブプロジェクタの電源を起動する前にマスタプロジェクタは＋５ＶラインをＯＦＦとしておく（ステップＳ７１５）。電源ＯＦＦコマンドの送信と一定時間待機することでスレーブプロジェクタが電源ＯＦＦとなった後、電源ＯＮを要求するコマンドを送信することで（ステップＳ７１７）スレーブプロジェクタの電源を投入する。その後、ＢＯＯＴ完了を待つために一定時間待機後（ステップＳ７１８）に、＋５ＶラインをＯＮとする（ステップＳ７１９）ことでＥＤＩＤの読み込みを行う。なお、この時のＢＯＯＴ完了を待つ待機時間も、先の起動完了の待機時間と同様に映像表示機器に合わせた設定が可能である。ここでは、ランプ光源のプロジェクタで起動の完了までに３０秒と設定しているために一例として３０秒待機としている。そのため、レーザー光源のプロジェクタでは５秒程度に設定することも可能である。
ステップＳ７１９の後、第３のＥＤＩＤ伝送要求として、出力端子１２からＥＤＩＤを伝送することを要求する旨の信号を出力する（ステップＳ７２０）。その後、ＥＤＩＤの受信に成功したかを確認し（ステップＳ７２１）、ＥＤＩＤの受信に成功したことが確認された場合にはＲｅｐｅａｔｅｒ機器として動作する（ステップＳ７２２）。この結果、スレーブプロジェクタで映像の表示が可能となる。ステップＳ７２１にてＥＤＩＤの受信に失敗したことが確認された場合には伝送要求が何回目であるかを確認する（ステップＳ７２３）。ＥＤＩＤの伝送要求が１回目または２回目である場合にはステップＳ７２０に戻り、ＥＤＩＤの伝送要求が３回目である場合にはＳｉｎｋ機器として動作する。
本実施形態においては、第１のＥＤＩＤ要求を行った結果、ステップＳ７０７にて一度Ｓｉｎｋ機器として動作を行った後にも、第１のＥＤＩＤ要求と同じようにＥＤＩＤを要求する第２、第３のＥＤＩＤ要求を行うことにより実際にＳｉｎｋ機器であるかの確認が行われる。このため、Ｒｅｐｅａｔｅｒ機器として動作すべき機器がＳｉｎｋ機器として動作することの防止がユーザ側に負担をかけることなく行われるものとなっている。
なお、ステップＳ７０７にてＳｉｎｋ機器として動作し、その後の第２、第３のＥＤＩＤ要求を行うことによってＲｅｐｅａｔｅｒ機器として動作する場合、Ｓｉｎｋ機器として動作する時間は短いものであり、さらにこの時間内は図４に示したような不具合が発生した映像が表示されることとなる。このため、ステップＳ７０７にてＳｉｎｋ機器として動作させることを省略し、ステップＳ７０６においてＥＤＩＤの伝送要求が３回目であることが確認された場合にはすぐにステップＳ７０８に移行するものとしてもよい。
【符号の説明】
【００３５】
１    プロジェクタ
５    ＰＣ
６    ＨＤＭＩケーブル
１１    入力端子
１２    出力端子
２０    映像送受信部
２１    受信部
２２    送信部
３０    映像信号処理部
４０    駆動部
５０    表示部
５１    投写レンズ
６０    制御部
６１    バス
７０    記憶部
【図１】
2017009783.tif 000004
【図２】
2017009783.tif 000005
【図３】
2017009783.tif 000006
【図４】
2017009783.tif 000007
【図５】
2017009783.tif 000008
【図６】
2017009783.tif 000009
【図７】
2017009783.tif 000010